(57)【要約】【課題】子機側で或る機能の開始指示が行われた際に、親機が前記機能に対応していないことを報知可能な通信装置を提供する。【解決手段】子機から回線と接続された相手側へ発呼が行なわれ、通話中に子機の入力部で話速変換操作が行われると、子機から親機へ機能問い合わせ信号が送信され（Ｓ１４０ステップ）、親機側で、第２格納部に格納されている親機の機能情報と子機の機能情報の両方に話速変換機能が含まれていないと判定すると（Ｓ１５０）、親機から子機へ問い合わせ応答信号が送信され、子機側で、親機が話速変換機能に対応していない旨が報知される。【選択図】  図４
2005012657.tif 000002
【特許請求の範囲】
【請求項１】
親機と、該親機と無線接続可能な子機とからなる通信装置であり、
前記子機は、入力部と、報知部と、子機無線部と、子機制御部とを有し、
前記子機の子機制御部は、前記入力部から、所定の機能を実行するように指示する操作があると判定すると、前記機能を親機が実行可能か否か前記親機に問い合わせるように前記子機無線部を制御し、前記子機無線部が、親機から前記機能に対応していないことを示す信号を受信したと判定すると、親機が前記機能に対応していないことを報知するように前記報知部を制御することを特徴とする通信装置。
【請求項２】
請求項１記載の通信装置であり、
前記親機は、親機無線部と、親機制御部と、前記親機がどのような機能を有しているかを示す情報である機能情報を格納するメモリとを有し、
前記親機の親機制御部は、前記親機無線部が前記機能を実行可能か否かを問い合わせる信号を子機から受信したと判定すると、前記メモリに格納されている前記機能情報を参照し、前記機能情報に問い合わせのあった前記機能が含まれていないと判定すると、その旨を前記子機に報知するように前記親機無線部を制御することを特徴とする通信装置。
【請求項３】
親機と、該親機と無線接続可能な子機とからなる通信装置であり、
前記子機は、子機入力部と、報知部と、子機無線部と、子機制御部とを有し、
子機を増設する際に、
前記子機制御部は、前記子機無線部を制御することにより、子機がどのような機能を有しているかを示す情報である子機機能情報を親機に送信し、
子機増設完了後、
前記子機制御部は、前記子機入力部から所定の機能を実施するよう指示があると判定すると、前記所定の機能を実施可能か否か前記親機に問い合わせるように前記子機無線部を制御し、前記子機無線部が、前記親機から前記所定の機能を実施不可能であることを示す信号を受信したと判定すると、前記機能を実施できないことを報知するように前記報知部を制御することを特徴とする通信装置。
【請求項４】
請求項３記載の通信装置であり、
前記親機は、親機入力部と、親機無線部と、親機がどのような機能を有しているかを示す情報である親機機能情報を予め格納したメモリと、親機制御部とを有し、
子機を増設する際に、前記親機制御部は、親機無線部が前記子機機能情報を受信したと判定すると、受信した前記子機機能情報を前記メモリに格納し、
子機増設完了後、前記親機無線部が前記子機から前記所定の機能を実施可能であるか否かを問い合わせる信号を受信したと判定すると、前記メモリに格納されている前記子機から受信した子機機能情報と、前記メモリに予め格納されている前記親機機能情報の両方に、前記所定の機能が含まれているか否かを検索し、含まれていないと判定すると、親機が前記或る機能に対応していないことを示す信号を送信するように前記親機無線部を制御することを特徴とする通信装置。
【発明の詳細な説明】
【０００１】
【発明の属する技術分野】
本発明は、通信装置に関する。
【０００２】
【従来の技術】
通信装置の一例としてコードレス電話が挙げられる。コードレス電話は、回線と接続された親機と、該親機と無線で接続可能な子機とからなる。
【０００３】
市販されているコードレス電話では、１台の親機に対し１台の子機のみ付いているものや、複数の子機が専用子機として付いているものがある。
【０００４】
ユーザは、例えば１台の親機に対し１台の子機しか付いていないコードレス電話を購入した後、家を増築した等の理由から子機の台数を増やし、各部屋に１台ずつ子機を設置したい場合には、別途販売されている増設子機を購入することにより、親機と無線接続可能な子機の数を増やすことが可能である。
【０００５】
尚、子機を増設する際には、親機と増設子機夫々に子機増設を行う為の操作を施し、親機と増設子機との間で、子機ＩＤ（Ｉｄｅｎｔｉｆｉｃａｔｉｏｎ）の送受信が行なわれる。
【０００６】
又、このようなコードレス電話に関する技術も数多く提案されており、例えば特許文献１には、電話番号等のデータを親機から子機へ転送する技術が記載されている。
【０００７】
【特許文献１】
特開２０００−１３４７４号公報（第４頁及び図３）。
【０００８】
【発明が解決しようとする課題】
新たに子機を購入し、子機増設を行なうことは可能であるが、増設子機の有する機能に親機が対応していないことがある。この場合、親機と増設子機との間で子機増設の為の設定操作を行っても子機増設は正常に完了するが、いざ、ユーザが子機の或る機能を使用しようとしても、親機がその機能に対応していない為にユーザが所望の機能を実施することができない。この時、ユーザはなぜ所望の機能を実施することができないのかその理由を知ることができず、電話装置が故障したと思い込む可能性がある。このような理由から、子機側で何らかの機能を実施する際に、何らかの方法で親機が子機の有する機能に対応していないことをユーザに報知可能であることが好ましい。
【０００９】
【課題を解決するための手段】
請求項１記載の通信装置は、親機と、該親機と無線接続可能な子機とからなる通信装置であり、前記子機は、入力部と、報知部と、子機無線部と、子機制御部とを有し、前記子機の子機制御部は、前記入力部から、所定の機能を実行するように指示する操作があると判定すると、前記機能を親機が実行可能か否か前記親機に問い合わせるように前記子機無線部を制御し、前記子機無線部が、親機から前記機能に対応していないことを示す信号を受信したと判定すると、親機が前記機能に対応していないことを報知するように前記報知部を制御することを特徴とする。
【００１０】
請求項２記載の通信装置は、請求項１記載の通信装置であり、前記親機は、親機無線部と、親機制御部と、前記親機がどのような機能を有しているかを示す情報である機能情報を格納するメモリとを有し、前記親機の親機制御部は、前記親機無線部が前記機能を実行可能か否かを問い合わせる信号を子機から受信したと判定すると、前記メモリに格納されている前記機能情報を参照し、前記機能情報に問い合わせのあった前記機能が含まれていないと判定すると、その旨を前記子機に報知するように前記親機無線部を制御することを特徴とする。
【００１１】
請求項３記載の通信装置は、親機と、該親機と無線接続可能な子機とからなる通信装置であり、前記子機は、子機入力部と、報知部と、子機無線部と、子機制御部とを有し、子機を増設する際に、前記子機制御部は、前記子機無線部を制御することにより、子機がどのような機能を有しているかを示す情報である子機機能情報を親機に送信し、子機増設完了後、前記子機制御部は、前記子機入力部から所定の機能を実施するよう指示があると判定すると、前記所定の機能を実施可能か否か前記親機に問い合わせるように前記子機無線部を制御し、前記子機無線部が、前記親機から前記所定の機能を実施不可能であることを示す信号を受信したと判定すると、前記機能を実施できないことを報知するように前記報知部を制御することを特徴とする。
【００１２】
請求項４記載の通信装置は、請求項３記載の通信装置であり、前記親機は、親機入力部と、親機無線部と、親機がどのような機能を有しているかを示す情報である親機機能情報を予め格納したメモリと、親機制御部とを有し、子機を増設する際に、前記親機制御部は、親機無線部が前記子機機能情報を受信したと判定すると、受信した前記子機機能情報を前記メモリに格納し、子機増設完了後、前記親機無線部が前記子機から前記所定の機能を実施可能であるか否かを問い合わせる信号を受信したと判定すると、前記メモリに格納されている前記子機から受信した子機機能情報と、前記メモリに予め格納されている前記親機機能情報の両方に、前記所定の機能が含まれているか否かを検索し、含まれていないと判定すると、親機が前記或る機能に対応していないことを示す信号を送信するように前記親機無線部を制御することを特徴とする。
【００１３】
【発明の実施の形態】
本発明では、子機増設時に、子機が子機の機能情報を親機に送信し、親機側は受信した機能情報をメモリに格納し、子機にて或る機能を動作する際には、子機から親機へ前記或る機能を親機が有しているか否かの問い合わせ信号を送信し、親機が予め有している親機の機能情報と前記子機受信した機能情報の両方を参照し、親機が前記或る機能を搭載していないと判定すると、その旨を親機から子機へ送信し、子機は親機が前記或る機能を搭載していないことをユーザに報知するものである。
【００１４】
以下、本発明を適用してなる実施例装置（例えば、コードレス電話装置）について説明する。
【００１５】
本実施例装置は親機５００と該親機５００と無線接続可能な子機６００とからなる。
【００１６】
図１は、本実施例装置の親機５００のブロック図である
制御部１は、以下で説明する各回路の制御を司る。
【００１７】
入力部２は、テンキー、録音開始キー、停止キー、機能キー、等からなる。
【００１８】
表示部３は、例えば液晶表示装置からなり、電話番号や氏名等を表示可能である。
【００１９】
第１格納部４は、例えばＲＯＭ（Ｒｅａｄ  Ｏｎｌｙ  Ｍｅｍｏｒｙ）からなり、制御部１の制御プログラムが格納されている。
【００２０】
第２格納部５は、例えばＳＲＡＭ（Ｓｔａｔｉｃ  Ｒａｎｄｕｍ  Ａｃｃｅｓｓ  Ｍｅｍｏｒｙ）からなり、親機５００の機能情報を予め格納していると共に子機６００から受信した機能情報を格納可能である。又、前記機能情報とは、例えば、話速変換で通話を行なう機能に対応しているか否かの情報や、子機間通話が全二重通信方式で行うか或いは半二重通信方式で行なうかといった情報等である。
【００２１】
フック検出部６は、後述するハンドセット１１のフック状態を検出する。
【００２２】
ダイオードブリッジ７は、回線Ｌと接続され、回線Ｌの極性が急激に変化した際に通信装置内部の回路を保護する為の回路である。
【００２３】
極性反転検出回路８は、回線Ｌの極性反転を検出する。
【００２４】
網制御部９は、主に回線Ｌの閉結及び開放を行う。
【００２５】
スピーチネットワーク１０は、前記網制御部９と、ハンドセット１１と、マイク１２及びスピーカ１３間での通話路の切換を行うと共に、内部に配置されているアンプやアッテネータ等により信号を制御する。
【００２６】
ＤＳＰ（Ｄｉｇｉｔａｌ  Ｓｉｇｎａｌ  Ｐｒｏｃｅｓｓｏｒ）１４は、着呼時に回線から到来するモデム信号を受信し、前記モデム信号に含まれている電話番号情報や氏名情報を摘出する。
【００２７】
無線部１５は、子機６００との間で無線通信を行なう。
【００２８】
図２は、本実施例装置の子機６００のブロック図である。
【００２９】
図２に示す子機６００の回路構成を以下に説明する。
【００３０】
制御部１００は、以下で説明する各回路の制御を司る。
【００３１】
入力部１１０は、テンキー、録音開始キー、停止キー、機能キー、話速変換キー等からなる。
【００３２】
表示部１２０は、例えば液晶表示装置からなり、電話番号や氏名、メッセージ等を表示可能である。
【００３３】
格納部１３０は、例えばＳＲＡＭ（Ｓｔａｔｉｃ  Ｒａｎｄｕｍ  Ａｃｃｅｓｓ  Ｍｅｍｏｒｙ）からなり、制御部１００の制御プログラムや、子機６００の機能情報（例えば、話速変換機能を有しているか、子機間通話は全二重か或いは半二重かといった情報）等を格納する。
【００３４】
無線部１４０は、アンテナ１５０と接続されており、親機５００との間で無線通信を行なう。
【００３５】
スピーチネットワーク１６０は、前記無線部１４０と、マイク１８０及びスピーカ１７０間での通話路の切換を行うと共に、内部に配置されているアンプやアッテネータ等により信号を制御する。
【００３６】
ブザー１９０は、着信音や警告音等を出力する。
【００３７】
本実施例装置の動作について以下に説明する。
【００３８】
図３は、子機増設時の動作を示すシーケンス図である。
【００３９】
子機増設時には、先ず、親機５００と子機６００の双方で子機増設開始の操作が行われる（Ｓ１０ステップ）。具体的には、親機５００の制御部１が入力部２から子機増設の開始指示があると判定すると共に、子機の制御部１００が、入力部１１０から子機増設の開始指示があると判定する。
【００４０】
続いて、親機５００から子機６００へ、子機６００に割り当てるＩＤ（Ｉｄｅｎｔｉｆｉｃａｔｉｏｎ）が送信される（Ｓ１１ステップ）。具体的には、親機５００の制御部１が無線部１５を制御することにより、子機ＩＤを子機６００へ送信させる。
【００４１】
子機６００は、前記ＩＤを受信すると、ＩＤを受信したことを示す信号であるＡＣＫと、子機６００の機能情報を親機５００に送信する（Ｓ１２ステップ）。具体的には、子機６００の制御部１００は、無線部１４０が親機５００からのＩＤを受信したと判定すると、格納部１３０へＩＤを格納すると共に、格納部１３０に格納されている機能情報と、ＡＣＫとを無線部１４０を制御することにより親機５００へ送信させる。
【００４２】
親機５００は、前記ＡＣＫと機能情報を子機６００から受信すると、子機増設が正常に完了したと判断すると共に、前記子機６００の機能情報を第２格納部５に格納する（Ｓ１３ステップ）。具体的には、親機５００の制御部１が、無線部１５からＡＣＫと機能情報を受信したことを示す信号を検出すると、子機増設の動作を終了すると共に受信した機能情報を第２格納部５に格納する。
【００４３】
このような動作を行なうことにより、子機増設が終了する。
【００４４】
子機増設が終了した後の通話時の動作について以下に説明する。
【００４５】
図４は、通話時の動作を示すシーケンス図である。
【００４６】
先ず、子機６００から親機５００へ発呼信号が送信されると、親機５００から子機６００へＡＣＫが返信される（Ｓ１００ステップ）。
【００４７】
具体的には、子機６００側の制御部１００が、入力部１１０から通話キーの押下操作があると判定すると、無線部１４０を制御することにより、発呼信号を親機５００に送信する。
【００４８】
一方、親機５００側の制御部１は、無線部１５から、前記発呼信号を受信したことを示す信号を検出すると、前記発呼信号を受信したことを示す返答信号であるＡＣＫを子機６００へ送信するように、無線部１５を制御する。
【００４９】
以降、親機５００と子機６００は制御チャンネルから通話チャンネルへ移行する。
【００５０】
続いて、子機６００から親機５００へ通話チャンネル移行完了信号が送信されると、親機５００から子機６００へＡＣＫが返信される（Ｓ１１０ステップ）。
【００５１】
具体的には、子機６００側の制御部１００が、無線部１４０を制御することにより、通話チャンネル移行完了信号を親機５００に送信する。
【００５２】
一方、親機５００側の制御部１は、無線部１５から、前記移行完了信号を受信したことを示す信号を検出すると、前記移行完了信号を受信したことを示す返答信号（ＡＣＫ）を子機６００へ送信するように、無線部１５を制御する。
【００５３】
続いて、親機５００の制御部１は、網制御部９を制御することにより回線Ｌを接続する。
【００５４】
その後、子機６００から親機５００へダイヤル信号が送信されると、親機５００から子機６００へＲＢＴ（Ｒｉｎｇ  Ｂａｃｋ  Ｔｏｎｅ）信号が送信される（Ｓ１２０ステップ）。
【００５５】
具体的には、子機６００側の制御部１００が、入力部１１０から電話番号の入力を検出すると、無線部１４０を制御することにより、前記入力部１１０から入力された電話番号（ダイヤル信号）を親機５００へ送信させる。
【００５６】
一方、親機５００側の制御部１は、無線部１５から、前記ダイヤル信号を受信したことを示す信号を検出すると、網制御部９を制御することにより回線Ｌへ前記ダイヤル信号を送出すると共に、前記無線部１５を制御することによりリングバックトーンを子機６００へ送信させる。
【００５７】
相手側が発呼に応答し、回線が接続されると、続いて、親機５００を介して相手側と子機６００間で通話が開始される（Ｓ１３０ステップ）。
【００５８】
具体的には、親機５００の制御部１は、網制御部９、スピーチネットワーク１０、無線部１５を制御することにより、子機６００と親機５００とを無線で接続すると共に、回線Ｌと子機６００との間で通話路を形成する。一方、子機６００の制御部１００は、スピーチネットワーク部１６０と無線部１４０を制御することにより、親機５００と子機６００を無線で接続すると共にスピーカ１７０及びマイク１８０と、親機５００との間に通話路を形成する。
【００５９】
通話中に子機６００側で話速変換の操作がされると、子機６００から親機５００へ、親機５００側で話速変換処理を行えるか否かの問い合わせを行なう（Ｓ１４０ステップ）。
【００６０】
具体的には、子機６００の制御部１００は、入力部１１０から話速ボタンの操作があると判定すると、無線部１４０を制御することにより、話速変換を実施可能か否かを問い合わせる信号（機能問い合わせ）を親機５００へ送信させる。
【００６１】
続いて、親機５００側は、前記問い合わせがあると、自身が話速変換機能を有しているか否かを判定し、その結果を子機６００に送信する（Ｓ１５０ステップ）。
【００６２】
具体的には、親機５００の制御部１は、無線部１５から前記問い合わせ信号を受信したことを示す信号を検出すると、第２格納部に格納されている情報である、子機６００増設時に子機６００から受信した機能情報と、親機５００の機能情報とを参照することにより、子機６００から受信した機能情報と親機５００が予め有している機能情報の両方が、話速変換機能を含んでいるか否かを判定し、話速変換機能を含んでいると判定すると、子機６００からの指示に応じて話速変換処理を行なうが、本実施例では、親機５００が話速変換機能を有していない為に、親機５００の機能情報に話速変換機能が含まれていないと判定し、無線部１５を制御することにより話速変換機能を含んでいないことを示す情報（問い合わせ応答）を子機６００へ送信する。
【００６３】
尚、前記話速変換機能は、通常、子機６００側が持たず、親機５００側のみ有している。なぜなら、親機５００と子機６００の両方に話速変換機能を搭載するとコスト高になる為であり、親機５００側にのみ話速変換機能を持たせることにより、通話時には、親機５００で話速変換された信号を子機６００又は回線Ｌへ送信すれば話速変換を実施できるのである。
【００６４】
続いて、子機６００は、話速変換機能を含んでいないことを示す情報を受信すると、話速変換機能が使用できないことをユーザに報知する（Ｓ１６０ステップ）。
【００６５】
具体的には、子機６００の制御部１００は、無線部１４０が、親機５００から話速変換機能を親機５００が有していないことを示す信号を受信したと判定すると、ブザー１９０から警告音を出力すると共に表示部１２０に、例えば、「親機が話速変換機能に対応していません」と表示させる。
【００６６】
尚、前記Ｓ１６０ステップにおいて、ブザー１９０から警告音を出力する構成としたが、ブザー１９０から、例えば、「親機が話速変換機能に対応していません」といったメッセージを出力する構成としても良い。このような構成とすることにより、ユーザは、なぜ所望の機能を実施できないのかその理由を更に明確にわかることが可能である。
【００６７】
又、前記Ｓ１５０ステップで、子機６００から親機５００に送信した機能問い合わせ信号に応答して、親機５００が第２格納部５に格納されている親機５００の機能情報と子機６００の機能情報の両方に話速変換機能が含まれているか検索する構成としたが、子機６００から親機５００へ問い合わせ信号が送信されると、親機５００側で親機５００の機能情報に話速変換機能が含まれているかを検索する構成としても良い。このような構成とする場合、子機増設時に子機６００から親機５００へ機能情報を送信する必要がない。
【００６８】
このように、本実施例装置では、先ず子機増設時に子機６００から親機５００へ機能情報を送信し、親機５００側では子機６００から受信した機能情報を第２格納部５に格納する。続いて、子機６００側で或る機能を実施する操作が行われると、子機６００が親機５００に、親機５００が前記機能に対応しているか否かを問い合わせ、親機５００が前記機能に対応していないと判定すると、子機６００に前記機能に対応していないことを示す信号を送信し、子機６００側で親機が前記機能に対応してないことをユーザに報知する。
【００６９】
この為、子機６００側のユーザは実行しようとする機能がなぜ実行できないかその理由を知ることが可能である。
【００７０】
又、子機６００側のユーザは実行できない理由を知ることができる為、通信装置が故障したと勘違いすることがない。
【００７１】
尚、本実施例では、子機増設時に、子機６００から親機５００に機能情報を送信する構成としたが、子機登録が終了した後の無線接続時に、子機６００から親機５００に機能情報を送信する構成としても良い。
【００７２】
又、子機増設又は子機増設後の無線接続時に子機６００が親機５００から機能情報を受信し、子機６００のユーザが所望の機能を実施しようとする際に、子機６００側で子機６００のユーザが実施しようとする機能を親機５００が実施可能か否かを判断し、子機６００側は実施不可能であると判定すると、その旨を子機６００のユーザに報知する構成としても良い。
【００７３】
更に、親機５００側で或る機能の開始指示が行われた場合、子機６００が前記機能に対応しているか否かを判定し、親機５００側で前記機能に子機６００が対応していない旨を報知する構成としても良い。
【００７４】
更に又、本実施例では、コードレス電話装置について実施したが、子機６００を搭載したファクシミリ装置等、親機５００と子機６００とからなる通信装置であれば、同様に実施可能である。
【００７５】
【発明の効果】
子機側で或る機能を実行しようとした際、子機がその機能を実行できない場合には、子機側でその旨を報知することが可能である。
【図面の簡単な説明】
【図１】本発明を適用してなる実施例装置の親機５００のブロック図である。
【図２】本発明を適用してなる実施例装置の子機６００のブロック図である。
【図３】子機６００増設の際の動作を示すシーケンス図である。
【図４】子機６００から親機５００へ機能を実施可能か否かの問い合わせを行う際の動作を示すシーケンス図である。
【符号の説明】
１  制御部
５  第２格納部
１５  無線部
１００  制御部
１１０  入力部
１３０  格納部
１４０  無線部
５００  親機
６００  子機
【図１】
2005012657.tif 000003
【図２】
2005012657.tif 000004
【図３】
2005012657.tif 000005
【図４】
2005012657.tif 000006